(57)【要約】      （修正有） 【課題】木造軸組工法により建築された低層木造建築物に於いて、直角又は略直角に連結される桁や梁等の木材の仕口を連結するために木材に打ち込まれる仕口、小口連結金具を提供する。  【解決手段】鋼鉄製円柱形本体と、その先端に形成された先鋭部と、後端部周囲から長手方向略中間部まで先端に向かって垂直一体に突設された案内平行部と案内テイパー部とを有する案内ガイドと、該鋼鉄製円柱形本体と該案内平行部の後端とに一体に設けられた円盤状頭部とを有する鋼鉄製ピンと、一端よりに該鋼鉄製ピンが貫通する円形貫通孔と、それに連通して該テイパー部が貫通する貫通切込とを形成した鋼鉄製長方形板と、該鋼鉄製長方形板の他端縁中間部に一体に接続された連結棒の先端に直角に固着された固定板を有する鋼鉄製羽子板とから成る仕口、小口連結金具。【選択図】図１
0003101725.tif 000002
【実用新案登録請求の範囲】
【請求項１】
所要の長さと直径とを有する鋼鉄製円柱形本体と、該鋼鉄製円柱形本体の先端に形成された先鋭部とし、後端部周囲から長手方向略中間部まで先端部に向かって所要幅で垂直一体に突設された案内平行部と案内テイパー部とを有する案内ガイドと、該鋼鉄製円柱形本体と該案内平行部の後端とに一体に設けられた円盤状頭部とを有する鋼鉄製ピンと；
所要の長さ、幅及び厚みを有し、一端よりに該鋼鉄製ピンが貫通する円形貫通孔と、該円形貫通孔に連通して該テイパー部が貫通する貫通切込とを形成した鋼鉄製長方形板と、該鋼鉄製長方形板の他端縁中間部に一体に接続された所要の長さと直径とを有する連結棒と、該連結棒の先端に直角に固着された固定板とを有する鋼鉄製羽子板とから成る仕口、小口連結金具。
【請求項２】
該鋼鉄製羽子板の軸先端に形成された螺合軸に、螺合穴を有する座金ナットを螺合して成る請求項１記載の仕口、小口連結金具。
【請求項３】
該鋼鉄製羽子板の軸先端に形成された螺合軸に、内側に複数の鋸歯状突起を放射状に設け、その中心に螺合穴とを形成した座金ナットを設けて成る請求項１記載の仕口、小口連結金具。
【考案の詳細な説明】
【技術分野】
【０００１】
この考案は、建築用連結金具に関し、更に詳しくは低層木造建築物の木造軸組工法に於いて低層木造建築物の直角又は略直角に連結される桁や梁等の木材の仕口を連結固定するため、これら木材に打ち込まれる仕口(シグチ)、小口（コグチ）連結金具で経年変化特に木材の乾燥による緩みを防止する木材の仕口、小口連結金具に関する。｛ここで仕口とは、2本以上の木材（土台と柱等）を所要角度（多くは直角）で固定して組み合わせるための合わせ面を言い、小口とは、木の幹の縦軸に直角な断面を言う｝。
【背景技術】
【０００２】
図１４に示す通り、従来低層木造建築物特に木造軸組工法に於いては、桁同士や桁と梁等の木材の仕口や小口を締め付け、組み合わせて固定するためにＬ字形金物４０とボルト４２等を介して固定している。
【０００３】
その例としては、
【特許文献１】特願２００３−０９０３１８（面取り角座金付きボルトと羽子板）、
【特許文献２】特願２００２−３４９５３５（座金ナット）等が挙げられる。
【考案の開示】
【考案が解決しようとする課題】
【０００４】
例えば、土台に柱等を垂直に組み合わせて固定するためには、土台にほぞ穴を形成し、それに柱等の仕口に形成したほぞを嵌合し、羽根板ボルトとナットとにより固定している。従って、土台等に柱等を固定するためには、相当の手間と時間とを要する。
【０００５】
又、木造軸組工法により建築された家屋の桁や梁等の小口の締め付けは、羽根板ボルトとナットにより実施しているが、1〜２年経過すると木材の乾燥により羽根板ボルトとナットとに緩みが生ずるので、その修理に相当の労力と時間とを要する。
【０００６】
特願２００３−０９０３１８の面取り角座金付きボルトと羽子板に於いては、木材が乾燥するとナット１に緩みが生ずるので、修理が必要となる。
【課題を解決するための手段】
【０００７】
前述の課題を解決するために、この考案は、木造軸組工法により建築された低層木造建築物に於いて、直角又は略直角に連結される桁や梁等の木材の仕口を連結するために木材に打ち込まれる仕口、小口連結金具を提供する。
【０００８】
この考案の第１要旨は、所要の長さと直径とを有する鋼鉄製円柱形本体と、該鋼鉄製円柱形本体の先端に形成された先鋭部と、後端部周囲から長手方向略中間部まで先端に向かって所要幅で垂直一体に突設された案内平行部と案内テイパー部とを有する案内ガイドと、該鋼鉄製円柱形本体と該案内平行部の後端とに一体に設けられた円盤状頭部とを有する鋼鉄製ピンと；所要の長さ、幅及び厚みとを有し、一端よりに該鋼鉄製ピンが貫通する円形貫通孔と、該円形貫通孔に連通して該テイパー部が貫通する貫通切込とを形成した鋼鉄製長方形板と、該鋼鉄製長方形板の他端縁中間部に一体に接続された所要の長さと直径とを有する連結棒と、該連結棒の先端に直角に固着された固定板とを有する鋼鉄製羽子板とから成る仕口、小口連結金具である。
【０００９】
この考案の第２要旨は、鋼鉄製羽子板の軸先端に形成された螺合軸に螺合穴を有する座金ナットを螺合して成る仕口、小口連結金具である。
【００１０】
この考案の第３要旨は、鋼鉄製羽子板の軸先端に形成された螺合軸に内側に複数の鋸歯状突起と中心に螺合穴とを形成した座金ナットを螺合して成る仕口、小口連結金具である
【考案の効果】
【００１１】
（１）従来の羽子板ボルトやナットの代わりに、この考案に係る仕口、小口連結金具を使用すれば、桁や梁等の連結固定の施工が極めて容易となる。
【００１２】
（２）この考案に係る仕口、小口連結金具の羽子板の連結棒を木造家屋の桁（又は座柱）に貫通し、先端の長方形板に貫通した鋼鉄製ピンを梁に打ち付ければ、案内平行部と案内テイパー部を有する案内ガイドを一体に設けられた円盤状頭部とを有する鋼鉄製ピンの該テイパー部がその可撓性により常に仕口を引き付け、緩みを防止するのでこれら木材が経年変化し、或は乾燥しても桁から梁が全く緩まない。従って、木材の乾燥に全く左右されない。
【００１３】
（３）従って、木材の乾燥に全く左右されず、ボルトやナットによる締結と相違して常に桁と桁、桁と梁とを常時引き付けて全く緩まない。
【００１４】
（４）経年変化によりこの考案に係る仕口、小口連結金具を交換する必要が生じた場合でも、その取り外しと交換とが容易であるので短時間で実施可能となる。
【考案を実施するための最良の形態】
【００１５】
この考案に係る仕口、小口連結金具は、低層木造建築物で特に木造軸組工法により建築する家屋に於いて、直角又は略直角に連結される桁や梁等の木材の仕口を連結するため、所要の長さと直径とを有する鋼鉄製円柱形本体と、該鋼鉄製円柱形本体の先端部に形成された先鋭部と、後端部周囲から長手方向略中間部まで先端に向かって所要幅で垂直一体に突設された案内平行部と案内テイパー部とを有する案内ガイドと、該鋼鉄製円柱形本体と該案内平行部の後端とに一体に設けられた円盤状頭部とを有する鋼鉄製ピンと；所要の長さ、幅及び厚みとを有し、一端よりに該鋼鉄製ピンが貫通する円形貫通孔と、該円形貫通孔に連通して該テイパー部が貫通する貫通切込とを形成した鋼鉄製長方形板と、該鋼鉄製長方形板の他端縁中間部に一体に接続された所要の長さと直径とを有する連結棒と、該連結棒の先端に直角に固着された固定板とを有する鋼鉄製羽子板とから成る仕口、小口連結金具である。
【実施例１】
【００１６】
この考案に係る仕口、小口連結金具の実施例を図面について説明する。図１〜５に於いて、請求項１記載の仕口、小口連結金具１０は、鋼鉄製ピン１２と鋼鉄製羽子板１４とから成る。
【００１７】
特に図３〜５に示す通り、該鋼鉄製ピン１２は、所要の直径１２ｍｍと長さ１０ｃｍとを有する鋼鉄製円柱形本体１２ａの先端部に円錐形先鋭部１２ｂを形成する。
【００１８】
該鋼鉄製円柱形本体１２ａの後端部１２ｃから周囲長手方向で所要の幅さ例えば２ｍｍと、高さ６ｍｍと、長さ２ｃｍの案内平行部１２ｅと、該案内平行部１２ｅから先端に向かって傾斜する長さほぼ３．５ｃｍのテイパー部１２ｆとを有する鋼鉄製案内ガイド１２ｄを垂直に一体に突設する。
【００１９】
該鋼鉄製円柱形本体１２ａの該後端部１２ｃと該案内ガイド１２ｄの後端部とに、両者よりやや大径の円盤状頭部１２ｇを一体に設け、該テイパー部１２ｆがその可撓性により常に桁２０の仕口２０cと梁３０との仕口３０ｃとを夫々引き付ける作用をする。
【００２０】
図２に於いて、該鋼鉄製ピン１２に組み合わされる鋼鉄製羽子板１４は、所要の長さ、幅及び厚みを有し、その一端よりに該鋼鉄製ピン１２が貫通する円形貫通孔１４ｂと、該円形貫通孔１４ｂに連通して該テイパー部１２ｆの貫通用切込１４ｃとを形成し、該鋼鉄製長方形板１４の他端縁中間部に所要の長さと直径とを有する鋼鉄製連結棒１４ｄを一体に接続する。
【００２１】
図１、２の実施例に於いて、該鋼鉄製連結棒１４ｄの先端に形成した螺合溝１４ｄ’に固定板１４ｅを螺合を螺合すれば、該鋼鉄製ピン１２の該テイパー部１２ｆが該貫通用切込１４ｃ内で圧縮されるのでその可撓性により該桁２０と該梁３０とを連結固着して緩まない。
【実施例２】
【００２２】
図６の第２実施例に於いて、この考案に係る仕口、小口連結金具１０は、鋼鉄製円柱形ピン１２のみとし、所要の長さ例えば１０ｃｍと直径１２ｍｍとを有する鋼鉄製円柱形本体１２ａの先端部１２ｂに長手方向で所要の長さ例えば１０ｃｍと直径１２ｍｍとを有する円錐形先鋭部１２ｃを一体に形成する。
【００２３】
該鋼鉄製円柱形本体１２ａの後端部１２ｃから周囲長手方向で所要の幅さ例えば２ｍｍと、高さ６ｍｍと、長さ２ｃｍの案内平行部１２ｅと、該案内平行部１２ｅから先端に向かって傾斜する長さほぼ３．５ｃｍのテイパー部１２ｆとを有する鋼鉄製案内ガイド１２ｄを垂直に一体に突設する。
【００２４】
桁２０の表面で梁３０が連結される位置に所要直径と深さとを有するほぞ穴２０ａを形成し、該桁２０の底面で該ほぞ穴２０ａに対応する箇所に所要深さの凹み２０bを形成し、該ほぞ穴２０ａの底部中心から該凹み２０bに該鋼鉄製連結棒１４ｄの貫通孔を形成する。
【００２５】
該ほぞ穴２０ａに該梁３０のほぞ３０ａを嵌合させ、該桁２０の側面から該鋼鉄製ピン１２を該貫通孔に貫通し、その先端を該凹み２０bから下方に突出させ、螺合溝１４ｄ’に固定板１４ｅを螺合すれば該桁２０に該梁３０が一体に組合され、該鋼鉄製ピン１２の該テイパー部１２ｆにより経年により木材が乾燥しても該桁２０と該梁３０が全く緩まない。
【実施例３】
【００２６】
図７に於いて、この考案の第３実施例の仕口、小口連結金具１０は、鋼鉄製羽子板１４に一体に設けられた鋼鉄製連結棒１４ｄの先端に形成された螺合溝１４ｄ’に中心に螺合穴１６ｃを有する座金ナット１６を螺合する構成とする。
【００２７】
その取り付け方法は、対応する梁３０に形成した鋼鉄製羽子板１４の嵌合穴３０bを形成し、該嵌合穴３０bから鋼鉄製連結棒１４ｄの先端を該梁３０の座金ナット１６の収納部３０d側に突出させ、該鋼鉄製連結棒１４ｄの該螺合溝１４ｄ’に該座金ナット１６を螺合すれば該収納部３０dに導かれ、該梁３０と該桁２０とが連結固定される。
【００２８】
図８〜１３に於いて、この考案の第４実施例の仕口、小口連結金具１０は、鋼鉄製羽子板１４と組み合わせて使用する座金ナット１６の他の実施例である。該鋼鉄製羽子板１４に一体に設けられた鋼鉄製連結棒１４ｄの先端に螺合溝１４ｄ’を形成し、該螺合溝１４ｄ’に中心内側に螺合穴１６ｃと複数の鋸歯状突起１６ｂとを有する座金ナット１６を螺合する構成とする。
【００２９】
その取り付け方法は、図１１に示す通り、該鋼鉄製羽子板１４の該鋼鉄製連結棒１４ｄの先端を連結する桁２０に穿設した貫通孔を貫通し、該螺合溝１４ｄ’に該座金ナット１６を手で螺合し、図１２に示す様に該座金ナット１６をハンマー等で打ち込めば該桁２０と該鋼鉄製羽子板１４とが左側に移動して該桁２０が水平の該桁２０の仕口と接触し、図13に示す通り該鋼鉄製羽子板１４の該貫通用切込１４ｃ内に上から該鋼鉄製ピン１２を打ち込めば、両方の該桁２０、２０が直角に連結固定され、木材が経年で乾燥しても全く緩まない。
【図面の簡単な説明】
【００３０】
【図１】は、この考案に係る仕口、小口連結金具と鋼鉄製羽子板とにより桁に梁を連結固定する第１実施例の部分断面一部透視斜視図である。
【図２】は、図１の第１実施例を部分的に改良した他の実施例の一部部分断面略図である。
【図３】は、図１、２の実施例に於いて使用されている仕口、小口連結金具から取り外したピンの拡大正面図である。
【図４】は、図３の鋼鉄製ピンの右側面図である。
【図５】は、図３の鋼鉄製ピンの左側面図である。
【図６】は、第１実施例の鋼鉄製ピンのみを使用して桁に梁を連結固定する仕口、小口連結金具の他の実施例の部分透視斜視断面略図である。
【図７】は、この考案に係る仕口、小口連結金具を構成する鋼鉄製羽子板の連結棒に座金ナットを螺合して桁と梁とを組み合わせて固定する実施例の部分正面拡大断面略図である。
【図８】は、鋼鉄製羽子板と組み合わせて使用する座金ナットの実施例の拡大正面図である。
【図９】は、図８の座金ナットの右側面図である。
【図１０】は、図８の座金ナットの左側面図である。
【図１１】は、図８の鋼鉄製羽子板と座金ナットとにより桁と桁とを連結固定しようとしている実施例の一部透視部分正面略図である。
【図１２】は、図１１の座金ナットを桁に打ち込む状態を示す一部透視部分正面略図である。
【図１３】は、図１２の鋼鉄製羽子板に鋼鉄製ピンを打ち込む状態を示す一部透視部分正面略図である。
【図１４】は、桁に桁をＬ字形固定金物により連結固定している状態を示す部分斜視図である。
【符号の説明】
【００３１】
１０      仕口、小口連結金具；
１２      鋼鉄製ピン；
１２ａ      円柱形本体；
１２ｂ      円錐形先鋭部；
１２ｃ      後端部；
１２ｄ      案内ガイド；
１２ｅ      案内平行部；
１２ｆ      案内テイパー部；
１２ｇ      円盤状頭部；
１４      鋼鉄製羽子板；
１４ａ      長方形板；
１４ｂ      円形貫通孔；
１４ｃ      嵌合用切込；
１４ｄ      鋼鉄製連結棒；
１４ｄ’      螺合溝；
１４ｅ      固定板；
１６      座金ナット；
１６ａ      四角形座板；
１６ｂ      鋸歯状突起；
１６c      螺合穴；
２０      桁；
２０ａ      ほぞ穴；
２０ｂ      嵌合孔；
２０c      仕口；
３０    梁；
３０ａ      ほぞ；
３０ｂ      連結棒貫通孔；
３０ｃ      仕口；
３０d      収納部；
４０      Ｌ字形金物；
４２      ボルト。
【図１】
0003101725.tif 000003
【図２】
0003101725.tif 000004
【図３】
0003101725.tif 000005
【図４】
0003101725.tif 000006
【図５】
0003101725.tif 000007
【図６】
0003101725.tif 000008
【図７】
0003101725.tif 000009
【図８】
0003101725.tif 000010
【図９】
0003101725.tif 000011
【図１０】
0003101725.tif 000012
【図１１】
0003101725.tif 000013
【図１２】
0003101725.tif 000014
【図１３】
0003101725.tif 000015
【図１４】
0003101725.tif 000016